(57)【要約】【課題】  フィルタの特性を変更することができるＣＩＣフィルタを提供する。【解決手段】  ｎ段の積分器ＩＮ１〜ＩＮｎが直列に接続された回路と、ｎ段のコムフィルタＣＯ１〜ＣＯｎが直列に接続された回路とを備え、入力信号が最初の積分器ＩＮ１に加えられ、入力信号のダウンサンプリングを行うためのＣＩＣフィルタである。そして、このＣＩＣフィルタは、ｎ段の積分器ＩＮ１〜ＩＮｎの出力が接続され、段数情報を基にこれらの出力の１つを選択して送り出す切替器１１と、切替器１１からの信号を、レート変換比率を表す情報を基に間引き、間引いた信号を最初のコムフィルタに加える間引き回路１２と、ｎ段のコムフィルタＣＯ１〜ＣＯｎの出力が接続され、段数情報を基にこれらの出力の１つを選択して出力信号とする切替器１３と、積分器およびコムフィルタの段数を表す段数情報を切替器１１、１３に送り、ダウンサンプリングのためのレート変換比率を表す情報を間引き回路１２に送る制御装置１６とを備える。【選択図】  図１
2012065038.tif 000002
【特許請求の範囲】
【請求項１】
積分器が直列に接続された回路と、コムフィルタが直列に接続された回路とを備え、入力信号が最初の積分器に加えられ、入力信号のダウンサンプリングを行うためのＣＩＣフィルタにおいて、
前記各積分器の出力が接続され、段数情報を基にこれらの出力の１つを選択して送り出す第１の切替手段と、
前記第１の切替手段からの信号を、レート変換比率を表す情報を基に間引き、間引いた信号を前記最初のコムフィルタに加える間引き手段と、
前記各コムフィルタの出力が接続され、段数情報を基にこれらの出力の１つを選択して出力信号とする第２の切替手段と、
前記積分器および前記コムフィルタの段数を表す段数情報を前記第１の切替手段と第２の切替手段とに送り、ダウンサンプリングのためのレート変換比率を表す情報を前記間引き手段に送る制御手段と、
を備えることを特徴とするＣＩＣフィルタ。
【請求項２】
コムフィルタが直列に接続された回路と、積分器が直列に接続された回路とを備え、入力信号が最初のコムフィルタに加えられ、入力信号のアップサンプリングを行うためのＣＩＣフィルタにおいて、
前記各コムフィルタの出力が接続され、段数情報を基にこれらの出力の１つを選択して送り出す第１の切替手段と、
前記第１の切替手段からの信号を、レート変換比率を表す情報を基にゼロ挿入を行い、ゼロ挿入した信号を前記最初の積分器に加えるゼロ挿入手段と、
前記各積分器の出力が接続され、段数情報を基にこれらの出力の１つを選択して出力信号とする第２の切替手段と、
前記積分器および前記コムフィルタの段数を表す段数情報を前記第１の切替手段と第２の切替手段とに送り、アップサンプリングのためのレート変換比率を表す情報を前記ゼロ挿入手段に送る制御手段と、
を備えることを特徴とするＣＩＣフィルタ。
【請求項３】
前記第２の切替手段からの出力信号から、切出位置情報を基にビットを切り出す切出手段を備え、
前記制御手段は、積分器およびコムフィルタの段数と、レート変換比率とから、ＤＣゲインを算出し、第２の切替手段から出力される信号の切出位置を求め、この切出位置を表す切出位置情報を前記切出手段に送る、
ことを特徴とする請求項１または２に記載のＣＩＣフィルタ。
【請求項４】
前記切出手段からの出力信号に対して、ＤＣゲイン補正係数を基にＤＣゲインを補正する補正手段を備え、
前記制御手段は、ＤＣゲインと前記切出手段による切り出し位置の関係からＤＣゲイン補正係数を算出し、算出したＤＣゲイン補正係数を前記切出手段に送る、
ことを特徴とする請求項３に記載のＣＩＣフィルタ。
【発明の詳細な説明】
【技術分野】
【０００１】
この発明は、アップサンプリングやダウンサンプリングの際に使用されるＣＩＣフィルタに関する。
【背景技術】
【０００２】
信号のサンプリングには、この信号を所定のサンプリング周波数でサンプリングした後、この周波数に比べて高いサンプリング周波数でサンプリングした信号に変換する場合、つまりアップサンプリングをする場合がある。また逆に、信号を所定のサンプリング周波数でサンプリングした後、この周波数に比べて低いサンプリング周波数でサンプリングした信号に変換する場合、つまりダウンサンプリングをする場合がある。こうしたアップサンプリングやダウンサンプリングは、例えば無線機システムなどに利用されている。
【０００３】
サンプリング周波数の変換には、ＣＩＣフィルタ（カスケード積分コムフィルタ）が用いられる場合がある（例えば、特許文献１参照。）。ダウンサンプリングのときに、ＣＩＣフィルタは、図３（ａ）に示すようにｎ段の積分器ＩＮ１〜ＩＮｎと、ｎ段のコムフィルタＣＯ１〜ＣＯｎと間引き回路１１０とで構成され、アップサンプリングのときに、ＣＩＣフィルタは、図３（ｂ）に示すように、ｎ段のコムフィルタＣＯ１〜ＣＯｎとｎ段の積分器ＩＮ１〜ＩＮｎと０（ゼロ）挿入回路１２０とで構成されている。
【０００４】
図３（ａ）に示すダウンサンプリングのＣＩＣフィルタでは、ｎ段の積分器ＩＮ１〜ＩＮｎにより直列回路が形成されている。積分器ＩＮ１〜ＩＮｎは、低周波成分を通す特性を持つローパスフィルタである。積分器ＩＮ１〜ＩＮｎによる直列回路の後段には、間引き回路１２０が接続されている。間引き回路１２０は、ｎ段の積分器ＩＮ１〜ＩＮｎによる直列回路からの信号を間引く処理を行う。間引き回路１２０の後段には、ｎ段のコムフィルタＣＯ１〜ＣＯｎによる直列回路が接続されている。コムフィルタＣＯ１〜ＣＯｎは、離間して周波数を通過する櫛の歯状の特性を持つ櫛型フィルタである。
【０００５】
一方、図３（ｂ）に示すアップサンプリングのＣＩＣフィルタでは、ｎ段のコムフィルタＣＯ１〜ＣＯｎによる直列回路の後段に、０（ゼロ）挿入回路１２０が接続されている。０挿入回路１２０は、コムフィルタＣＯ１〜ＣＯｎによる直列回路からの信号に、「０（ゼロ）」データを挿入する。０挿入回路１２０の後段には、積分器ＩＮ１〜ＩＮｎによる直列回路が接続されている。
【０００６】
こうした構成のＣＩＣフィルタにより、ダウンサンプリングやアップサンプリングが行われる。ＣＩＣフィルタでは、通常、積分器およびコムフィルタの段数は同じである。
【先行技術文献】
【特許文献】
【０００７】
【特許文献１】特開２００９−２３２０５８号公報
【発明の概要】
【発明が解決しようとする課題】
【０００８】
従来のＣＩＣフィルタには、次ぎの課題がある。ＣＩＣフィルタでは、積分器およびコムフィルタの段数を多くするほど、イメージの抑圧量を大きくできるが、信号通過帯域の肩特性への影響も大きくなる。また、アップダウンの変換比率でも肩特性が変わるため、無線機システム毎にＣＩＣフィルタを構成する必要がある。
【０００９】
また、従来のＣＩＣフィルタは積分器およびコムフィルタの段数とレート変換比率とが固定である。このために、ＣＩＣフィルタが組み込まれる無線機システム毎に、ＣＩＣフィルタを作り変える必要がある。さらに、従来のＣＩＣフィルタでは、動作中に特性を変更させることも不可能である。
【００１０】
この発明の目的は、前記の課題を解決し、フィルタの特性を変更することができるＣＩＣフィルタを提供することにある。
【課題を解決するための手段】
【００１１】
前記の課題を解決するために、請求項１の発明は、積分器が直列に接続された回路と、コムフィルタが直列に接続された回路とを備え、入力信号が最初の積分器に加えられ、入力信号のダウンサンプリングを行うためのＣＩＣフィルタにおいて、前記各積分器の出力が接続され、段数情報を基にこれらの出力の１つを選択して送り出す第１の切替手段と、前記第１の切替手段からの信号を、レート変換比率を表す情報を基に間引き、間引いた信号を前記最初のコムフィルタに加える間引き手段と、前記各コムフィルタの出力が接続され、段数情報を基にこれらの出力の１つを選択して出力信号とする第２の切替手段と、前記積分器および前記コムフィルタの段数を表す段数情報を前記第１の切替手段と第２の切替手段とに送り、ダウンサンプリングのためのレート変換比率を表す情報を前記間引き手段に送る制御手段と、を備えることを特徴とするＣＩＣフィルタである。
【００１２】
請求項１の発明では、入力信号が最初の積分器に加えられる。第１の切替手段は、段数情報を基に積分器の出力の１つを選択する。間引き手段は、第１の切替手段からの信号を、レート変換比率を表す情報を基に間引き、間引いた信号を最初のコムフィルタに加える。第２の切替手段は、段数情報を基にコムフィルタの出力の１つを選択して出力信号とする。制御手段は、積分器およびコムフィルタの段数を表す段数情報を第１の切替手段と第２の切替手段とに送り、ダウンサンプリングのためのレート変換比率を表す情報を間引き手段に送る。
【００１３】
請求項２の発明は、コムフィルタが直列に接続された回路と、積分器が直列に接続された回路とを備え、入力信号が最初のコムフィルタに加えられ、入力信号のアップサンプリングを行うためのＣＩＣフィルタにおいて、前記各コムフィルタの出力が接続され、段数情報を基にこれらの出力の１つを選択して送り出す第１の切替手段と、前記第１の切替手段からの信号を、レート変換比率を表す情報を基にゼロ挿入を行い、ゼロ挿入した信号を前記最初の積分器に加えるゼロ挿入手段と、前記各積分器の出力が接続され、段数情報を基にこれらの出力の１つを選択して出力信号とする第２の切替手段と、前記積分器および前記コムフィルタの段数を表す段数情報を前記第１の切替手段と第２の切替手段とに送り、アップサンプリングのためのレート変換比率を表す情報を前記ゼロ挿入手段に送る制御手段と、を備えることを特徴とするＣＩＣフィルタである。
【００１４】
請求項２の発明では、入力信号が最初のコムフィルタに加えられる。第１の切替手段は、段数情報を基にコムフィルタの出力の１つを選択して出力とする。ゼロ挿入手段は、第１の切替手段から出力される信号を、レート変換比率を表す情報を基にゼロ挿入を行い、ゼロ挿入した信号を最初の積分器に加える。第２の切替手段は、段数情報を基に積分器の出力の１つを選択して出力信号とする。制御手段は、積分器およびコムフィルタの段数を表す段数情報を第１の切替手段と第２の切替手段とに送り、アップサンプリングのためのレート変換比率を表す情報をゼロ挿入手段に送る。
【００１５】
請求項３の発明は、請求項１または２に記載のＣＩＣフィルタにおいて、前記第２の切替手段からの出力信号から、切出位置情報を基にビットを切り出す切出手段を備え、前記制御手段は、積分器およびコムフィルタの段数と、レート変換比率とから、ＤＣゲインを算出し、第２の切替手段から出力される信号の切出位置を求め、この切出位置を表す切出位置情報を前記切出手段に送る、ことを特徴とする。
【００１６】
請求項４の発明は、請求項３に記載のＣＩＣフィルタにおいて、前記切出手段からの出力信号に対して、ＤＣゲイン補正係数を基にＤＣゲインを補正する補正手段を備え、前記制御手段は、ＤＣゲインと前記切出手段による切り出し位置の関係からＤＣゲイン補正係数を算出し、算出したＤＣゲイン補正係数を前記切出手段に送る、ことを特徴とする。
【発明の効果】
【００１７】
請求項１および請求項２の発明によれば、ダウンサンプリングやアップサンプリングを行うためのＣＩＣフィルタの特性を、積分器の段数とコムフィルタの段数とを同じように変更することで変えることができる。また、この発明が例えば無線機システムに適用された場合、無線機システムが通信中であっても、必要に応じてＣＩＣフィルタの特性を変更することを可能にする。
【００１８】
請求項３の発明によれば、ビットを切り出す切出手段を設けたので、出力信号のビット増大を押さえることができる。
【００１９】
請求項４の発明によれば、ＤＣゲインを補正する補正手段回路を設けたので、出力信号のＤＣゲインを値「１」に設定することができる。
【図面の簡単な説明】
【００２０】
【図１】実施の形態１によるＣＩＣフィルタを示す構成図である。
【図２】実施の形態２によるＣＩＣフィルタを示す構成図である。
【図３】従来のＣＩＣフィルタを示す図であり、図３（ａ）はダウンサンプリングを行うＣＩＣフィルタの構成図、図３（ｂ）はアップサンプリングを行うＣＩＣフィルタの構成図である。
【発明を実施するための形態】
【００２１】
次に、この発明の各実施の形態について、図面を用いて詳しく説明する。
【００２２】
（実施の形態１）
この実施の形態によるＣＩＣフィルタを図１に示す。なお、この実施の形態では、先に説明した図３と同一もしくは同一と見なされる構成要素には、それと同じ参照符号を付けて、その説明を省略する。図１のＣＩＣフィルタは、ダウンサンプリングを行うものであり、ｎ段の積分器ＩＮ１〜ＩＮｎと、切替器１１、１３と、間引き回路１２と、ｎ段のコムフィルタＣＯ１〜ＣＯｎと、出力ビット（ｂｉｔ）選択回路１４と、ＤＣゲイン微調回路１５と、制御装置１６とを備えている。
【００２３】
この実施の形態によるＣＩＣフィルタでは、ｎ段の積分器ＩＮ１〜ＩＮｎの各出力が取り出されて、切替器１１にそれぞれ加えられている。同じく、ｎ段のコムフィルタＣＯ１〜ＣＯｎの各出力が取り出されて、切替器１３にそれぞれ加えられている。
【００２４】
切替器１１は、切替端子Ｔ１〜Ｔｎを備え、積分器の段数を表す情報であって、制御装置１６からのＣＩＣ段数情報を基に切替動作を行い、この切替動作で選択した切替端子を間引き回路１２に接続する。切替端子Ｔ１〜Ｔｎには、積分器ＩＮ１〜ＩＮｎの出力がそれぞれ接続されている。これにより、切替器１１が例えば切替端子Ｔ２に切り替えると、積分器ＩＮ１と積分器ＩＮ２とによる直列回路つまりローパスフィルタの出力が、切替器１１を経由して間引き回路１２に加えられる。そして、切替器１１が切替端子Ｔｎに切り替えると、従来と同様のｎ段の積分器ＩＮ１〜ＩＮｎによる直列回路の出力が、切替器１１を経由して間引き回路１２に加えられる。
【００２５】
間引き回路１２は、切替器１１からの信号に対して、制御装置１６からのＣＩＣ段数情報で指示された間引きの処理を行う。このとき、間引き回路１２は、制御装置１６からのレート変換比率情報を基にした間隔で、切替器１１からの信号を間引く。例えば、切替器１１からの信号が、
ｘ１、ｘ２、ｘ３、ｘ４、ｘ５、ｘ６、ｘ７、・・・
というデータから成り、制御装置１６からのレート変換比率情報が表すレート変換比率が値「１／３」である場合、間引き回路１２は、
ｘ１、ｘ４、ｘ７、・・・
というように、３つの連続データから２つのデータを間引くような処理を行う。間引き回路１２は、間引きした信号を第１段目のコムフィルタＣＯ１に出力する。
【００２６】
切替器１３は、切替器１１と同様に、切替端子Ｔ１〜Ｔｎを備え、制御装置１６からのＣＩＣ段数情報を基に切替動作を行い、この切替動作で選択した切替端子を出力ビット選択回路１４に接続する。このＣＩＣ段数情報は切替器１１に加えられるＣＩＣ段数情報と同じものである。切替端子Ｔ１〜Ｔｎには、コムフィルタＣＯ１〜ＣＯｎの出力がそれぞれ接続されている。これにより、切替器１３が例えば切替端子Ｔ２に切り替えると、コムフィルタＣＯ１とコムフィルタＣＯ２とによる直列回路、つまり、櫛型フィルタの出力が、切替器１２を経由して出力ビット選択回路１４に加えられる。そして、切替器１３が切替端子Ｔｎに切り替えると、従来と同様のｎ段のコムフィルタＣＯ１〜ＣＯｎによる直列回路の出力が、切替器１２を経由して出力ビット選択回路１４に加えられる。
【００２７】
出力ビット選択回路１４は、制御装置１６からの切出位置情報によってビットの選択をする。この切出位置情報が表す切出位置は、次ぎのようにして求められている。積分器ＩＮ１〜ＩＮｎおよびコムフィルタＣＯ１〜ＣＯｎの段数とレート変換比率とから、ＤＣゲインが計算され、ＣＩＣ出力の切出位置が求められる。ＣＩＣ出力はＣＩＣフィルタ本体からの信号であり、ＣＩＣフィルタ本体は、ｎ段の積分器ＩＮ１〜ＩＮｎと間引き回路１２とｎ段のコムフィルタＣＯ１〜ＣＯｎと切替器１３とから成る。こうした切出位置情報により、出力ビット選択回路１４は有効なＣＩＣ出力ビットを選択する。
【００２８】
ＤＣゲイン微調回路１５は、制御装置１６からのＤＣゲイン補正係数によって動作する。出力ビット選択回路１４によるビット選択では、６ｄＢ単位でのゲイン調整しかできないので、ＤＣゲイン微調回路１５は、出力ビット選択回路１４によるビットの選択後に、６ｄＢ未満のＤＣゲイン補正を行う。
【００２９】
制御装置１６は、ＣＰＵ（Ｃｅｎｔｒａｌ  Ｐｒｏｃｅｓｓｉｎｇ  Ｕｎｉｔ）やメモリを含むような装置である。制御装置１６は、ＣＩＣフィルタに関する各種の制御のために、ＣＩＣ段数情報、切出位置情報、レート変換比率情報およびＤＣゲイン補正係数を、次のようにして生成する。ＣＩＣフィルタは、構成要素に積分器ＩＮ１〜ＩＮｎを含んでいるので、大きなＤＣゲインを持ち、出力ビットが増大する。このために、制御装置１６は、積分器ＩＮ１〜ＩＮｎとコムフィルタＣＯ１〜ＣＯｎの段数とレート変換比率とから、ＤＣゲインを計算して、切替器１３から出力される信号つまりＣＩＣ出力の切出位置を求め、有効なＣＩＣ出力ビットを選択する。なお、レート変換比率は、サンプリング周波数ｆ１でサンプリングした信号を、サンプリング周波数ｆ１とは別のサンプリング周波数ｆ２でサンプリングする場合、サンプリング周波数の比ｆ２／ｆ１で表される。
【００３０】
また、出力ビット選択回路１４によるＣＩＣ出力ビットの選択では、６ｄＢ単位でのゲイン調整しかできないため、制御装置１６は、出力ビットの選択後に、ＤＣゲイン微調回路１５に対してＤＣゲイン補正係数を出力し、６ｄＢ未満のＤＣゲイン補正を行う制御を行う。制御装置１６は、ＤＣゲインとＣＩＣ出力切り出し位置との関係から、ＤＣゲイン補正係数を求める。
【００３１】
ここで、制御装置１６が行う演算について詳しく述べる。制御装置１６に対しては、システムパラメータとして、積分器ＩＮ１〜ＩＮｎおよびコムフィルタＣＯ１〜ＣＯｎの段数を表すＣＩＣ段数情報、レート変換比率を表すレート変換比率情報、ＣＩＣフィルタ入力ビット数があらかじめ与えられている。制御装置１６は、ＣＩＣ段数情報およびレート変換比率情報を無加工で出力し、切出位置情報およびＤＣゲイン補正係数を以下のようにして算出して出力する。
【００３２】
制御装置１６は、切出位置情報を算出する場合、レート変換比率情報が表すレート変換比率をＲとし、ＣＩＣ段数情報が表すＣＩＣ段数をＮとする。これにより、ＤＣゲイン（真値）は、
ＲＮ            （ダウンサンプリングＣＩＣ）
となるため、増加するビット数は以下の関係を満たす最小の値Ｘとなる。
ＲＮ＜２Ｘ        （ダウンサンプリングＣＩＣ）
したがって、制御装置１６は、値ＸにＣＩＣフィルタ入力ビット数を加えたものを切出位置とし、この切出位置を表す情報を切出位置情報とする。切出位置情報は、ＣＩＣ出力のＭＳＢ（Ｍｏｓｔ  Ｓｉｇｎｉｆｉｃａｎｔ  Ｂｉｔ）を示す。
【００３３】
次に、制御装置１６は、ＤＣゲイン補正係数を次のように算出する。先に述べた値Ｘで、
２Ｘ／ＲＮ          （ダウンサンプリングＣＩＣ）
となる値ＸがＤＣゲイン補正係数である。
【００３４】
次に、この実施の形態による動作について述べる。制御装置１６には、ＣＩＣ段数情報、レート変換比率情報、ＣＩＣフィルタ入力ビット数があらかじめ与えられている。制御装置１６は、ＣＩＣ段数情報を切替器１１および切替器１３に出力し、レート変換比率情報を間引き回路１２に出力する。これにより、切替器１１および切替器１３は、切替動作を行い、所定段数の積分器からなるローパスフィルタと、同じく所定段数のコムフィルタからなる櫛型フィルタとを形成する。
【００３５】
この後、ＣＩＣフィルタに入力されたＣＩＣフィルタ入力信号は、所定段数の積分器から成るローパスフィルタと切替器１１とを経て、間引き回路１２に送られる。間引き回路１２は、制御装置１６からのレート変換比率情報を基に、切替器１１からの信号に対する間引きを行って、間引きした信号を、所定段数のコムフィルタから成る櫛型フィルタに出力する。櫛型フィルタと切替器１３とを経た信号は、出力ビット選択回路１４に送られる。出力ビット選択回路１４は、制御装置１６からの切出位置情報を基に、有効なＣＩＣ出力ビットを選択する。このとき、出力ビット選択回路１４によるＣＩＣ出力ビットの選択では、６ｄＢ単位でのゲイン調整のみを行っているので、ＤＣゲイン微調回路１５は、制御装置１６からのＤＣゲイン補正係数を基に、６ｄＢ未満のＤＣゲイン補正を行う。そして、ＤＣゲイン微調回路１５は、ＤＣゲイン補正した信号を、ＣＩＣフィルタ出力信号とする。
【００３６】
こうして、この実施の形態によれば、例えば無線機システム毎にＣＩＣフィルタを作り直すことを不要にすることができる。また、この実施の形態によれば、無線機システムが通信中であっても、アダプティブにＣＩＣフィルタの特性を変更することを可能にする。また、この実施の形態によれば、ビットを切り出す回路である出力ビット選択回路１４を付加することで、ＣＩＣ出力のビット増大を押さえることができる。さらに、この実施の形態によれば、ＤＣゲインを補正する回路であるＤＣゲイン微調回路１５を付加することで、ＣＩＣフィルタのＤＣゲインを値「１」に設定することができる。
【００３７】
（実施の形態２）
この実施の形態によるＣＩＣフィルタを図２に示す。なお、この実施の形態では、先に説明した図１のＣＩＣフィルタと同一もしくは同一と見なされる構成要素には、それと同じ参照符号を付けて、その説明を省略する。図２のＣＩＣフィルタは、アップサンプリングを行うものであり、実施の形態１のｎ段の積分器ＩＮ１〜ＩＮｎとｎ段のコムフィルタＣＯ１〜ＣＯｎとを入れ替えたものである。また、この実施の形態によるＣＩＣフィルタでは、実施の形態１の間引き回路１２に代わり、０（ゼロ）挿入回路１２Ａが用いられている。
【００３８】
この実施の形態では、０挿入回路１２Ａは、ＣＩＣ段数情報により指示された所定段数のコムフィルタつまり櫛型フィルタからの信号に対して「０」を挿入する処理を行う。このとき、０挿入回路１２Ａは、制御装置１６からのレート変換比率情報を基にした間隔で、櫛型フィルタからの信号に対して「０」を挿入する。例えば、切替器１１からの信号が、
ｙ１、ｙ２、ｙ３、・・・
というデータから成り、制御装置１６からのレート変換比率情報が表すレート変換比率が値「３」である場合、０挿入回路１２Ａは、
ｙ１、０、０、ｙ２、０、０、ｙ３、０、０、・・・
というように、隣接するデータ間に２つの「０」のデータを挿入するような処理を行う。０挿入回路１２Ａは、「０」を挿入した信号を積分器ＩＮ１に出力する。
【００３９】
この実施の形態では、制御装置１６は、切出位置情報を算出する場合、次ぎのようにしている。制御装置１６は、レート変換比率情報が表すレート変換比率をＲとし、ＣＩＣ段数情報が表すＣＩＣ段数をＮとする。これにより、ＤＣゲイン（真値）は、
Ｒ（Ｎ−１）      （アップサンプリングＣＩＣ）
となるため、増加するビット数は以下の関係を満たす最小の値Ｘとなる。
Ｒ（Ｎ−１）＜２Ｘ    （アップサンプリングＣＩＣ）
したがって、制御装置１６は、値ＸにＣＩＣフィルタ入力ビット数を加えたものを切出位置とし、この切出位置を表す情報を切出位置情報とする。切出位置情報は、ＣＩＣ出力のＭＳＢを示す。
【００４０】
次に、制御装置１６は、ＤＣゲイン補正係数を次のように算出する。先に述べた値Ｘで、
２Ｘ／Ｒ（Ｎ−１）    （アップサンプリングＣＩＣ）
となる値ＸがＤＣゲイン補正係数である。
【００４１】
この実施の形態よれば、実施の形態１と同様の効果を達成することができる。
【産業上の利用可能性】
【００４２】
この発明は、通信の分野に限定されることはなく、画像や映像の分野での利用も可能である。
【符号の説明】
【００４３】
ＩＮ１〜ＩＮｎ  積分器
ＣＯ１〜ＣＯｎ  コムフィルタ
１１、１３  切替器（切替手段）
１２  間引き回路（間引き手段）
１４  出力ビット選択回路（切出手段）
１５  ＤＣゲイン微調回路（補正手段）
１６  制御装置（制御手段）
【図１】
2012065038.tif 000003
【図２】
2012065038.tif 000004
【図３】
2012065038.tif 000005